(57)【要約】 【課題】引出し機構の開閉動作の支障となることなく配線を案内可能なテーブルを提供する。【解決手段】テーブル１は、床面上に設けられる脚体１２と、該脚体１２に支持された天板１１と、前記天板１１の一端側及び該天板の前記一端側と反対側の他端側にそれぞれ配置され、互いに対向する方向にスライドして開閉されるとともに、電子機器の配線Ｈ１を収容可能とされた複数の引出し機構１３と、対向する前記引出し機構１３間に配置され、前記配線Ｈ１を収容可能とされた配線ダクト１４と、前記引出し機構１３と前記配線ダクト１４との間に形成された配線案内空間部Ｓ１に設けられ、前記配線Ｈ１を支持しつつ案内する配線案内手段４１とを備え、前記配線案内手段４１は、前記引出し機構１３のスライドに応じて、一平面内でのみ折り曲げ変形可能であることを特徴とする。【選択図】図１
2015144624.tif 000002
【特許請求の範囲】
【請求項１】
床面上に設けられる脚体と、
該脚体に支持された天板と、
前記天板の一端側及び該天板の前記一端側と反対側の他端側にそれぞれ配置され、互いに対向する方向にスライドして開閉されるとともに、電子機器の配線を収容可能とされた複数の引出し機構と、
対向する前記引出し機構間に配置され、前記配線を収容可能とされた配線ダクトと、
前記引出し機構と前記配線ダクトとの間に形成された配線案内空間部に設けられ、前記配線を支持しつつ案内する配線案内手段とを備え、
前記配線案内手段は、前記引出し機構のスライドに応じて、一平面内でのみ折り曲げ変形可能であることを特徴とするテーブル。
【請求項２】
前記配線案内手段は、前記引出し機構のスライドに応じて、前記引出し機構のスライド方向を含む前記一平面内でのみ折り曲げ変形可能であることを特徴とする請求項１に記載のテーブル。
【請求項３】
前記配線案内手段は、
前記引出し機構の閉じた閉位置から前記引出し機構の開いた開位置への移動にともなって、前記配線案内空間部内に配置され折り曲げられた前記配線を、延ばすように案内し、
前記引出し機構の前記開位置から前記閉位置への移動にともなって、前記配線案内空間部内に配置され延ばされた前記配線を、折り曲げるように案内することを特徴とする請求項１または請求項２に記載のテーブル。
【請求項４】
前記配線案内手段は、
両端が開口されるとともに内部に空間部が形成された複数の枠体と、
該枠体を、前記一平面と直交する方向に延びる回動軸回りに回動可能に連結する回動軸とを有することを特徴とする請求項１から請求項３のいずれ一項に記載のテーブル。
【請求項５】
前記引出し機構は、
箱状の引出し本体と、
当該引出し本体をスライド可能に支持する支持手段とを備え、
前記引出し本体は、当該引出し本体の背面側を形成すると共に配線挿通部が設けられた背面パネルを有することを特徴とする請求項１から請求項４のいずれか一項に記載のテーブル。
【請求項６】
前記天板は、平面視矩形状に形成され、
該天板の当該矩形の４辺の各々に対して前記引出し本体が設けられていることを特徴とする請求項１から請求項５のいずれか一項に記載のテーブル。
【発明の詳細な説明】
【技術分野】
【０００１】
本発明は、テーブルに関するものである。
【背景技術】
【０００２】
一般に、オフィスや公共施設等における空間には、床面から延びる脚部と、脚部に支持された天板とを有するテーブルが設置され（下記特許文献１から３参照）ている。利用者は、このようなテーブルを利用して作業や会議を行う。
【０００３】
また、天板の下面に沿って、スライド可能な引き出しが設けられたテーブルも、多く見られる（下記特許文献４参照）。
【先行技術文献】
【特許文献】
【０００４】
【特許文献１】特許第４４２０４１３号公報
【特許文献２】特開２０００−２４５５３８号公報
【特許文献３】特開２０１３−１０２９９４号公報
【特許文献４】特許第４４１４５２９号公報
【発明の概要】
【発明が解決しようとする課題】
【０００５】
ところで、テーブルにおいて、天板上に、電源の必要なパーソナルコンピュータ等の電子機器を用いた作業が多く行われている。上記特許文献４に記載の引き出しが設けられたテーブルにおいて、天板上に配置された電子機器の配線を、例えば天板の下方に設けられた配線ダクトに収容すると、引出しの開閉にともなって、配線が引出しに引っかかってしまう可能性がある。このため、天板の下方において、引出しの開閉動作に支障なく、配線を配置することが望まれている。
【０００６】
本発明は、上記事情に鑑みてなされたものであり、引出し機構の開閉動作の支障となることなく配線を案内可能なテーブルを提供するものである。
【課題を解決するための手段】
【０００７】
上記目的を達成するために、本発明は以下の手段を採用している。
すなわち、本発明に係るテーブルは、床面上に設けられる脚体と、該脚体に支持された天板と、前記天板の一端側及び該天板の前記一端側と反対側の他端側にそれぞれ配置され、互いに対向する方向にスライドして開閉されるとともに、電子機器の配線を収容可能とされた複数の引出し機構と、対向する前記引出し機構間に配置され、前記配線を収容可能とされた配線ダクトと、前記引出し機構と前記配線ダクトとの間に形成された配線案内空間部に設けられ、前記配線を支持しつつ案内する配線案内手段とを備え、前記配線案内手段は、前記引出し機構のスライドに応じて、一平面内でのみ折り曲げ変形可能であることを特徴とする。
【０００８】
このように構成されたテーブルでは、引出し機構のスライド時には、引出し機構と配線ダクトとの間に形成された配線案内空間部内に配置された配線案内手段は、該配線案内空間部内における一平面内でのみ折り曲げ変形可能とされている。よって、配線案内手段に支持され案内される配線は、配線案内手段の変形にともなって、配線案内空間部内における一平面内でのみ折り曲げられ、当該一平面以外の空間部では折り曲げられない。よって、一平面以外の空間部にある物品と配線との干渉が抑制されるため、引出し機構のスライド動作の支障となることなく配線を案内することができる。
【０００９】
また、本発明に係るテーブルは、前記配線案内手段は、前記引出し機構のスライドに応じて、前記引出し機構のスライド方向を含む前記一平面内でのみ折り曲げ変形可能であることが好ましい。
【００１０】
このように構成されたテーブルでは、配線案内手段に支持され案内される配線は、配線案内手段の変形にともなって、配線案内空間部内におけるスライド方向を含む一平面内でのみ折り曲げられ、当該一平面以外の空間部では折り曲げられない。よって、スライド方向を含む一平面以外の空間部にある物品と配線との干渉が抑制されるため、引出し機構のスライド動作の支障となることなく配線を案内することができる。
【００１１】
また、本発明に係るテーブルは、前記配線案内手段は、前記引出し機構の閉じた閉位置から前記引出し機構の開いた開位置への移動にともなって、前記配線案内空間部内に配置され折り曲げられた前記配線を、延ばすように案内し、前記引出し機構の前記開位置から前記閉位置への移動にともなって、前記配線案内空間部内に配置され延ばされた前記配線を、折り曲げるように案内してもよい。
【００１２】
このように構成されたテーブルでは、引出し機構の閉位置から開位置への移動にともなって、配線案内空間部内に配置され折り曲げられた配線は、延ばされる。また、引出し機構の開位置から閉位置への移動にともなって、配線案内空間部内に配置され延ばされた配線は、折り曲げられる。よって、配線案内手段は、配線を、延ばされた状態と折り曲げられた状態との間で変形させるで、他の物品との干渉を抑制することができる。
【００１３】
また、本発明に係るテーブルは、前記配線案内手段は、両端が開口されるとともに内部に空間部が形成された複数の枠体と、該枠体を、前記一平面と直交する方向に延びる回動軸回りに回動可能に連結する回動軸とを有してもよい。
【００１４】
このように構成されたテーブルでは、配線は、配線案内手段の枠体の空間部に収容される。引出し機構の閉位置と開位置との間の移動にともなって、各枠体は、一平面と直交する回動軸回りに回動する。よって、各枠体が一平面内において回動することができる。
【００１５】
また、本発明に係るテーブルは、前記引出し機構は、箱状の引出し本体と、当該引出し本体をスライド可能に支持する支持手段とを備え、前記引出し本体は、当該引出し本体の背面側を形成すると共に配線挿通部が設けられた背面パネルを有してもよい。
【００１６】
このように構成されたテーブルでは、配線ダクトに収容された配線は、引出し本体の背面パネルに形成された配線挿通部を通過して、引出し本体の内部に引き込まれる。よって、テーブルにおける配線の引き回しを円滑に行うことができる。
【００１７】
また、本発明に係るテーブルは、前記天板は、平面視矩形状に形成され、該天板の当該矩形の４辺の各々に対して前記引出し本体が設けられていてもよい。
【００１８】
このように構成されたテーブルでは、複数の引出し本体が設置されることになるため、引出し本体を使用できる範囲を広げることが可能となる。また、水平二方向のいずれ方向からも、テーブルに設けられた引出し本体を使用することができる。
【発明の効果】
【００１９】
本発明に係るテーブルによれば、引出しの開閉動作の支障となることなく配線を案内することができる。
【図面の簡単な説明】
【００２０】
【図１】本発明の実施形態におけるテーブルにおいて、引出し機構が閉位置にある場合の斜視図である。
【図２】本発明の実施形態におけるテーブルにおいて、引出し機構が開位置にある場合の斜視図である。
【図３】本発明の実施形態におけるテーブルを構成する引出し機構及び配線ダクトの構成を示す斜視図である。
【図４】本発明の実施形態におけるテーブルを構成する配線ダクトを下方から見上げた斜視図である。
【図５】本発明の実施形態におけるテーブルを構成する配線ダクトの断面図である。
【図６】本発明の実施形態におけるテーブルにおいて、引出し機構が閉位置にある場合の配線の配置を示す平面図である。
【図７】本発明の実施形態におけるテーブルを構成する引出し機構及び配線ダクトの構成を示す拡大斜視図である。
【図８】本発明の実施形態におけるテーブルを構成する配線案内手段の取付構造を示す分解斜視図である。
【図９】本発明の実施形態におけるテーブルを構成する全ての引出し機構が閉位置にある場合における電源配線の模式的な配線図である。
【図１０】本発明の実施形態におけるテーブルを構成する全ての引出し機構が閉位置にある場合におけるＬＡＮ配線の模式的な配線図である。
【図１１】本発明の実施形態の変形例１におけるテーブルにおいて、引出し機構が閉位置にある場合の配線の配置を示す平面図である。
【図１２】本発明の実施形態の変形例１におけるテーブルにおいて、引出し機構が開位置にある場合の配線の配置を示す平面図である。
【図１３】本発明の実施形態の変形例２におけるテーブルにおいて、引出し機構が閉位置にある場合の配線の配置を示す平面図である。
【図１４】本発明の実施形態の変形例２におけるテーブルにおいて、引出し機構が開位置にある場合の配線の配置を示す平面図である。
【発明を実施するための形態】
【００２１】
以下、本発明の実施形態について説明する。
図１は、本実施形態におけるテーブルにおいて、引出しの収容された状態の斜視図である。図２は、本実施形態におけるテーブルにおいて、引出しの引き出された状態の斜視図である。
図１及び図２に示すように、テーブル１は、第一テーブル什器１００と、第二テーブル什器２００と、モニタースタンド３００とを備えている。
なお、以下においては、説明の便宜上、図１及び図２の矢印に示すように、第一テーブル什器１００、第二テーブル什器２００及びモニタースタンド３００が連結される方向（配列方向）を左右方向とし、これと直交する水平方向を前後方向とする。
【００２２】
（第一テーブル什器）
第一テーブル什器１００は、天板１１と、脚部（脚体）１２と、引出し機構１３と、ダクト（配線ダクト）１４と、配線案内装置４１（配線案内手段）とを備えている。
【００２３】
（天板）
天板１１は、上面が作業面１１ａとされた板状部材である。この天板１１は、平面視形状が正方形（矩形）とされており、作業面１１ａがコンセント等の設けられていない平面とされている。天板１１は、脚部１２に支持されている。このような天板１１は、上方から見て、４つの辺が各々前側、後側、左側、右側に向くように配置されている。なお、天板１１の裏面（下面）側には、脚部１２等をネジ止めするためのネジ穴が複数設けられている。
【００２４】
（脚部）
脚部１２は、床面上に設置され、４か所に設けられており、天板１１の角部に設けられている。各脚部１２の下端部には、前後方向に向けて配置される回転軸によって回転可能に支持されたローラが設けられている。これによって、第一テーブル什器１００は左右方向に移動可能とされている。
なお、以下の説明では、天板１１の前側を向く辺と右側向く辺とによって形成される角部に設けられた脚部１２を第１脚部１２ａと称し、右側を向く辺と後側を向く辺とによって形成される角部に設けられた脚部１２を第２脚部１２ｂと称し、後側を向く辺と左側を向く辺とによって形成される角部に設けられた脚部１２を第３脚部１２ｃと称し、左側を向く辺と前側を向く辺とによって形成される角部に設けられた脚部１２を第４脚部１２ｄと称する。
【００２５】
（引出し機構）
引出し機構１３は、脚部１２同士の間に配置されている。換言すると、引出し機構１３は、天板１１の一端側と一端側と反対側の他端側にそれぞれ配置されている。本実施形態においては、全ての脚部１２同士の間に引出し機構１３が設置されている。
なお、以下の説明では、第１脚部１２ａと第２脚部１２ｂとの間に設置された引出し機構１３を第１引出し機構１３ａと称し、第２脚部１２ｂと第３脚部１２ｃとの間に設置された引出し機構１３を第２引出し機構１３ｂと称し、第３脚部１２ｃと第４脚部１２ｄとの間に設置された引出し機構１３を第３引出し機構１３ｃと称し、第４脚部１２ｄと第１脚部１２ａとの間に設置された引出し機構１３を第４引出し機構１３ｄと称する。
【００２６】
第１引出し機構１３ａは、支持レール２０と、引出し本体２１とを有している。
支持レール２０は、天板１１の裏面に固定されており、引出し本体２１をスライド可能に支持する。この支持レール２０は、１つの引出し本体２１に対して２つ設けられており、一方の支持レール２０が引出し本体２１の引出し方向（引出し機構１３のスライド方向）と直交する方向（前後方向）における一方の端部を支持し、他方の支持レール２０が引出し本体２１の他方の端部を支持する。
【００２７】
図３は、ダクト１４と、第４引出し機構１３ｄの引出し本体２１とを含む斜視図である。
図３に示すように、引出し本体２１は、底板２２と、前面パネル２３と、背面パネル２４と、側面パネル２５とを備えている。
底板２２は、略矩形状の板部材であり、前面パネル２３と、背面パネル２４と、側面パネル２５とを支持する。
【００２８】
前面パネル２３は、底板２２の右側の縁に沿うように底板２２に対して立設された立片である。この前面パネル２３には、上方に向けて開放された凹部からなる配線挿通部２３ａが設けられている。
【００２９】
この配線挿通部２３ａは、引出し本体２１の内部と外部とを連通する開口であり、引出し本体２１が収納状態であっても引出し本体２１の外部から内部または内部から外部に電源配線Ｈ１及びＬＡＮ配線Ｈ２を引き回すことを可能とする部位である。
なお、第１引出し機構１３ａにおいては、配線挿通部２３ａは、引出し本体２１を引き出すための取っ手としても機能する。
【００３０】
背面パネル２４は、底板２２の左側の縁に沿うように底板２２に対して立設された立片である。この背面パネル２４には、上方に向けて開放された凹部からなる第１配線挿通部２４ａ、第２配線挿通部２４ｂ及び第３配線挿通部２４ｃが設けられている。
【００３１】
これらの第１配線挿通部２４ａ、第２配線挿通部２４ｂ及び第３配線挿通部２４ｃは、前面パネル２３の配線挿通部２３ａと同様に、引出し本体２１が収納状態であっても引出し本体２１の外部から内部または内部から外部に電源配線Ｈ１及びＬＡＮ配線Ｈ２を引き回すことを可能とする部位である。
【００３２】
第１配線挿通部２４ａは、第２配線挿通部２４ｂ及び第３配線挿通部２４ｃに対して広く形成されており、太い配線や位置調整が必要な配線を挿通させるのに適している。第２配線挿通部２４ｂ及び第３配線挿通部２４ｃは、第１配線挿通部２４ａより狭い開口とされており、細い配線や移動させる必要のない配線を挿通させるのに適している。
【００３３】
また、第２配線挿通部２４ｂ及び第３配線挿通部２４ｃには、これらの第２配線挿通部２４ｂ及び第３配線挿通部２４ｃを囲って配設されると共に切欠き２４ｅが形成された可撓性環状部材２４ｄが設けられている。この可撓性環状部材２４ｄは、可撓性環状部材２４ｄを切断するように設けられた切欠き２４ｅを通じて電源配線Ｈ１及びＬＡＮ配線Ｈ２を出し入れ可能とされている。このような可撓性環状部材２４ｄを設けることによって、第２配線挿通部２４ｂ及び第３配線挿通部２４ｃに挿通された電源配線Ｈ１及びＬＡＮ配線Ｈ２が第２配線挿通部２４ｂ及び第３配線挿通部２４ｃから抜け出ることを防止することができる。
【００３４】
側面パネル２５は、前面パネル２３と背面パネル２４の端部同士に接続された立片である。この側面パネル２５の外面側には、支持レール２０に当接される突出部２０ａが設けられている。
【００３５】
このように、引出し本体２１は、底板２２と、底板２２から上方に向かって延在すると共に引出し本体２１の内部と引出し本体２１の外部とを連通する配線挿通部（配線挿通部２３ａ、第１配線挿通部２４ａ、第２配線挿通部２４ｂ及び第３配線挿通部２４ｃ）を有する立片（前面パネル２３及び背面パネル２４）とを有する箱状の部材とされている。
【００３６】
第２引出し機構１３ｂ、第３引出し機構１３ｃ及び第４引出し機構１３ｄは、引出し本体２１及び支持レール２０の向きが異なる。例えば、第２引出し機構１３ｂの引出し本体２１は、前面パネル２３が後側を向けて配置される。第３引出し機構１３ｃの引出し本体２１は、前面パネル２３が左側を向けて配置される。第４引出し機構１３ｄの引出し本体２１は、前面パネル２３が前側を向けて配置される。他の構成については、第２引出し機構１３ｂ、第３引出し機構１３ｃ及び第４引出し機構１３ｄは、第１引出し機構１３ａと同様の構成をしているため、ここでの詳細な説明を省略する。
【００３７】
（ダクト）
図１に戻り、ダクト１４は、上方から見て天板１１の中央に配置されるように、天板１１の下面に吊り下げ支持されている。ダクト１４は、対向する引出し機構１３間に配置されている。
図３に示すように、ダクト１４は、基部１４ａと、前後片１４ｂと、内向き片１４ｃと、外向き片１４ｄと、第１係止片１４ｅと、第２係止片１４ｆとを備えている。図４は、ダクト１４を下方から見上げた斜視図である。また、図５は、ダクト１４の断面図である。
図３から図５に示すように、ダクト１４は、基部１４ａと、前後片１４ｂと、内向き片１４ｃと、外向き片１４ｄと、第１係止片１４ｅと、第２係止片１４ｆとを有している。
【００３８】
基部１４ａは、天板１１の下面と平行な平板状の部位である。前後片１４ｂは、基部１４ａの前後端から下方に向かって垂下して設けられている。前後片１４ｂは、基部１４ａの前側の端部と後側の端部とに各々設けられており、これら２つの前後片１４ｂで一対とされている。このような前後片１４ｂは、基部１４ａの前後端の全域に設けられている。
また、各前後片１４ｂには、ダクト１４の外側と内側とを連通する貫通孔１４ｇが形成されている。この貫通孔１４ｇは、引出し本体２１の第１配線挿通部２４ａと対向する位置に設けられている。なお、貫通孔１４ｇに替えて、孔形状でない貫通部を設けるようにしても良い。
【００３９】
内向き片１４ｃは、各前後片１４ｂの下端から他方の前後片１４ｂに向かって水平に延設される部位である。これらの内向き片１４ｃは、第一テーブル什器１００と第二テーブル什器２００との間で架け渡される配線である電源配線Ｈ１が載置される。外向き片１４ｄは、各前後片１４ｂの下端から他方の前後片１４ｂと反対側に向かって水平に延設される部位である。
【００４０】
第１係止片１４ｅは、内向き片１４ｃの内側端に立設されると共に上端が基部１４ａと離間されている部位である。この第１係止片１４ｅは、内向き片１４ｃに載置される電源配線Ｈ１が落下することを防止する。また、基部１４ａと、前後片１４ｂと、内向き片１４ｃと、第１係止片１４ｅとによって囲まれる空間は、後述の電源タップＨ１２が収容される。さらに、第１係止片１４ｅと基部１４ａとの隙間寸法は、電源タップＨ１２の高さ寸法よりも小さく設定されている。これによって、電源タップＨ１２が内向き片１４ｃから脱落することを防止することができる。なお、第１係止片１４ｅは、左右方向における中央部において設けられていない。この第１係止片１４ｅが設けられていない領域を介して、基部１４ａと、前後片１４ｂと、内向き片１４ｃと、第１係止片１４ｅとによって囲まれる空間に電源タップＨ１２を差し込むことが可能とされている。
【００４１】
第２係止片１４ｆは、外向き片１４ｄの外側端に立設されると共に上端が基部１４ａと離間されている部位である。
【００４２】
（配線案内装置）
配線案内装置４１は、引出し機構１３とダクト１４との間に形成された配線案内空間部Ｓ１内に設けられている。配線案内装置４１は、電源配線Ｈ１及びＬＡＮ配線Ｈ２を支持しつつ案内する。
【００４３】
図６は、引出し機構１３が閉位置にある場合の電源配線Ｈ１の配置を示す平面図である。図７は、引出し機構１３及びダクト１４の構成を示す拡大斜視図である。図８は、配線案内装置４１の取付構造を示す分解斜視図である。なお、図６から図７においては、配線のうち電源配線Ｈ１を示し、ＬＡＮ配線Ｈ２の記載を省略している。図８においては、電源配線Ｈ１及びＬＡＮ配線Ｈ２の記載を省略している。
図６から図８に示すように、配線案内装置４１は、引出し機構１３とダクト１４との間に設けられた枠部材４２と、枠部材４２を変形させる回動軸４３と、枠部材４２の移動を規制する移動規制部４４とを有している。
なお、以下では、配線案内装置４１が取り付けられる引出し機構１３として、第４引出し機構１３ｄを例に挙げて説明する。
【００４４】
（枠部材）
図３，図７及び図８に示すように、枠部材４２は、一端が第４引出し機構１３ｄに取り付けられるとともに、他端がダクト１４に取り付けられている。この枠部材４２は、複数のリンクユニット５１（枠体）により構成されている。
【００４５】
リンクユニット５１は、両端が開口されるとともに、内部に電源配線Ｈ１及びＬＡＮ配線Ｈ２を収容可能とされた空間部が形成されている。リンクユニット５１は、対向配置された一対のリンクプレート５２と、これらリンクプレート５２を互い連結する連結プレート５３（図３参照）と、リンクプレート５２の両端から突出する係合片５４とを有する。
【００４６】
リンクプレート５２は、隣接する一方側のリンクユニット５１側に配置された外側プレート部５２Ａと、隣合する他方側のリンクプレート５２側に配置された内側プレート部５２Ｂとを有している。これら外側プレート部５２Ａと内側プレート部５２Ｂとは、一体に形成されている。
【００４７】
対向配置された外側プレート部５２Ａどうしの離間距離は、内側プレート部５２Ｂどうしの離間距離よりも長い。これにより、リンクユニット５１の内側プレート部５２Ｂの外側には、隣合うリンクプレート５２の外側プレート部５２Ａが配置されている。
【００４８】
図３に示すように、連結プレート５３は、対向配置された外側プレート部５２Ａ及び内側プレート部５２Ｂの一端どうしを互い連結している。
【００４９】
図８に示すように、係合片５４は、各外側プレート部５２Ａの他端から対向配置された外側プレート部５２Ａに向かって延びている。これら係合片５４の端部どうしは、離間して配置されている。つまり、係合片５４の端部間には空間部が形成されている。この空間部は、電源配線Ｈ１及びＬＡＮ配線Ｈ２等の配線の挿通が可能とされている。
【００５０】
なお、枠部材４２の両端に配置されたリンクユニット５１では、係合片５４が設けられていない。また、このリンクユニット５１の連結プレート５３には、取付孔５３Ｘが設けられている。
ここで、説明の便宜上、枠部材４２を構成する一のリンクユニット５１において、外側プレート部５２Ａが配置される側を連結前側とし、内側プレート部５２Ｂが配置される側を連結後側とする。
【００５１】
（回動軸）
回動軸４３は、一のリンクユニット５１の外側プレート部５２Ａの形成された貫通孔５２Ｘに挿通され、隣接する他のリンクユニット５１の内側プレート部５２Ｂに形成された軸穴（不図示）に取り付けられている。これにより、一のリンクユニット５１の外側プレート部５２Ａは、他のリンクユニット５１の内側プレート部５２Ｂに対して、回動軸４３を中心に回動可能とされている。
【００５２】
本実施形態では、回動軸４３は第４引出し機構１３ｄのスライド方向と直交する鉛直方向に延びている。これにより、各リンクユニット５１は、回動軸４３と直交する平面内、本実施形態では水平面内で移動可能とされている。
【００５３】
（移動規制部）
図８に示すように、移動規制部４４は、一のリンクユニット５１の内側プレート部５２Ｂの連結後側において外側プレート部５２Ａ側を向く第一係止面６１と、一のリンクユニット５１の連結後側に配置された他のリンクユニット５１の係合片５４において内側プレート部５２Ｂ側を向く第二係止面６２とにより構成されている。
【００５４】
枠部材４２が直線状に配置された状態において、第一係止面６１と第二係止面６２とは当接している。これにより、リンクユニット５１は、回動軸４３を中心として、係合片５４を連結前側に配置されたリンクユニット５１から離間させる方向（図８に示す矢印Ａ方向）への回動が規制されている。
【００５５】
係合片５４の連結前側には、連結前側に向かって突出する係止突起５４Ａが形成されている。リンクユニット５１が、回動軸４３を中心として、係合片５４を連結前側に配置されたリンクユニット５１に近接させる方向（図８に示す矢印Ｂ方向）に回動する。この時、係止突起５４Ａが連結前側に配置されたリンクユニット５１の内側プレート部５２Ｂの側面５２Ｃに当接することにより、リンクユニット５１の回動が規制される。
【００５６】
上記のように構成された配線案内装置４１は、一端側が第４引出し機構１３ｄの引出し本体２１に、他端側がダクト１４に、それぞれ取付金具４６を介して取り付けられている。
【００５７】
以下では、引出し本体２１と配線案内装置４１との連結構造を例に挙げて説明する。
取付金具４６は、引出し本体２１の底板２２に取り付けられる底部４７と、底部４７から上方に延びる上向き壁部４８とを有している。上向き壁部４８は、引出し本体２１の背面パネル２４に沿って配置されている。
【００５８】
底部４７及び上向き壁部４８には、それぞれ取付孔４７Ｘ，４８Ｘが形成されている。また、底部４７から上向き壁部４８にわたって、外面を覆うようにカバー４９が設けられている。
【００５９】
引出し本体２１の底板２２に形成された取付孔２２Ｘから挿通されたネジ２２Ｚは、取付金具４６の底部４７に形成された取付孔４７Ｘに螺合されている。これにより、取付金具４６は、引出し本体２１の底板２２の上部に取り付けられる。ここで、ネジ２２Ｚの先端は、取付金具４６の取付孔４７Ｘを貫通してカバー４９の内側に納まっているため、カバー４９から突出することはない。
【００６０】
また、両端に配置されたリンクユニット５１に形成された取付孔５３Ｘから挿通されたネジ５３Ｚは、取付金具４６の上向き壁部４８に形成された取付孔４８Ｘに螺合されている。これにより、配線案内装置４１は、取付金具４６に取り付けられる。このようにして、配線案内装置４１は、取付金具４６を介して引出し本体２１に取り付けられている。ここで、ネジ５３Ｚの先端は、取付金具４６の取付孔４８Ｘを貫通してカバー４９の内側に納まっているため、カバー４９から突出することはない。
【００６１】
配線案内装置４１は、引出し本体２１の背面パネル２４とダクト１４の第２係止片１４ｆとの間に形成された配線案内空間部Ｓ１（図７参照）に配置されている。
【００６２】
電源配線Ｈ１及びＬＡＮ配線Ｈ２は、配線案内装置４１の対向する係合片５４の間から挿通され、リンクプレート５２、連結プレート５３及び係合片５４とで囲まれた空間内に配置されている。
【００６３】
なお、ダクト１４と配線案内装置４１との連結構造は、取付金具４６の取り付けられる部分が異なる。取付金具４６の底部４７は、ダクト１４の外向き片１４ｄに取り付けられている。他の構成については、ダクト１４と配線案内装置４１との連結構造は、引出し本体２１と配線案内装置４１との連結構造と同様であり、説明を省略する。
【００６４】
なお、第一引出し機構１３ａ，第二引出し機構１３ｂに取り付けられる配線案内装置４１は、第四引出し機構１３ｄに取り付けられる配線案内装置４１と配置位置が異なる。第四引出し機構１３ｄに取り付けられる配線案内装置４１は、ダクト１４の右側且つ引出し本体２１の右側に取り付けられている。第一引出し機構１３ａに取り付けられる配線案内装置４１は、ダクト１４の右側且つ引出し本体２１の前側に取り付けられている。第二引出し機構１３ｂに取り付けられる配線案内装置４１は、ダクト１４の左側且つ引出し本体２１の左側に取り付けられている。第一引出し機構１３ａ，第二引出し機構１３ｂに取り付けられる配線案内装置４１の他の構成については、第四引出し機構１３ｄに取り付けられる配線案内装置４１と同様であるため、ここでは詳細な説明を省略する。
【００６５】
第二テーブル什器２００は、第一テーブル什器１００と略同一の構成を有している。ここでは、第二テーブル什器２００の第一テーブル什器１００と異なる点のみについて説明する。
【００６６】
第二テーブル什器２００の各脚部１２の下端部には、第一テーブル什器１００の各脚部１２の下端部に設けられているローラに替わり、アジャスタが設けられている。これは、第一テーブル什器１００は、テーブル１の使用態様に柔軟に対応するために、第二テーブル什器２００及びモニタースタンド３００に対して移動可能とされているのに対して、第二テーブル什器２００は、あまり移動させることがないモニタースタンド３００と連結されており、移動することを前提としていないためである。
【００６７】
また、第二テーブル什器２００においては、第一テーブル什器１００における第３引出し機構１３ｃの引出し本体２１が取り外されている。これは、当該引出し本体２１が収容される空間に引出し本体２１に替えてモニタースタンド３００の固定用アーム３０が挿入されるためである。
【００６８】
モニタースタンド３００は、上述の固定用アーム３０、モニターＭが固定されるモニター支持部３１、通信機器等を収容するコンソールボックス３２、モニターＭの裏側を囲うバックパネル３３及びバックパネル３３の下方を覆うアンダーカバー３４等を備えている。このようなモニタースタンド３００は、床面から取り出された電子機器（不図示）の電源配線Ｈ１及びＬＡＮ配線Ｈ２（あるいは他の通信用配線）をモニターＭやコンソールボックス３２内部に引き込み可能とされている。
【００６９】
これらの第一テーブル什器１００、第二テーブル什器２００及びモニタースタンド３００は、左右方向に配列されて連結されている。モニタースタンド３００と第二テーブル什器２００とは、モニタースタンド３００の固定用アーム３０が、取り外された第３引出し機構１３ｃの引出し本体２１の収容空間に挿入され、この固定用アーム３０が第二テーブル什器２００の天板１１に固定されることによって連結されている。
【００７０】
第二テーブル什器２００と第一テーブル什器１００とは、第二テーブル什器２００の第１引出し機構１３ａと、第一テーブル什器１００の第３引出し機構１３ｃとが対向するようにして、不図示の連結器具によって連結されている。このように第二テーブル什器２００と第一テーブル什器１００とが連結されることによって、本実施形態においては、第二テーブル什器２００の第１引出し機構１３ａの引出し本体２１と、第一テーブル什器１００の第３引出し機構１３ｃの引出し本体２１とは、図２に示すように、引き出すことはできなくなっている。
【００７１】
次に、上記のように構成されたテーブル１において、引出し機構１３が閉じた閉位置から引出し機構１３が開いた開位置への移動時において、配線案内装置４１の動作について説明する。
【００７２】
図１及び図６の実線に示すように、引出し本体２１が天板１１の中央よりに配置された位置、つまり引出し機構１３が閉位置にある場合に、配線案内装置４１は、配線案内空間部Ｓ１内において、水平面内で折り曲げられている。
この状態から、引出し本体２１を支持レール２０に対してスライドして、引出し本体２１が天板１１の端部側に配置された位置、つまり引出し機構１３を開位置に位置させるように移動させる。
すると、配線案内装置４１の各リンクユニット５１は、回動軸４３を中心として回動する。そして、図６の二点鎖線で示すように、折り曲げられていた配線案内装置４１は、水平面内で延ばされるように案内される。
【００７３】
一方、引出し本体２１を支持レール２０に対してスライドして、引出し機構１３を閉位置に位置させるように移動させる。
すると、配線案内装置４１の各リンクユニット５１は、回動軸４３を中心として回動する。そして、図６の実線で示すように、延ばされていた配線案内装置４１は、水平面内で折り曲げられるように案内される。
【００７４】
図９は、本実施形態のテーブル１において引き回される電源配線Ｈ１を模式的に示す配線図である。図１０は、本実施形態のテーブル１において引き回されるＬＡＮ配線Ｈ２を模式的に示す配線図である。床面から引き出された電源配線Ｈ１は、電源タップ付きの配線が複数接続されることによって形成されており、図９に示すように、モニタースタンド３００に引き込まれ、モニタースタンド３００から第二テーブル什器２００の天板１１の下側を通り、第二テーブル什器２００のダクト１４の内向き片１４ｃに載置される。この電源配線Ｈ１は、第二テーブル什器２００のダクト１４の内向き片１４ｃに載置された電源タップＨ１１から、第二テーブル什器２００の第１引出し機構１３ａ方向と、第２引出し機構１３ｂ方向と、第４引出し機構１３ｄ方向との３方向に分岐されている。
【００７５】
図９に示すように、第二テーブル什器２００のダクト１４から第１引出し機構１３ａ方向に分岐された電源配線Ｈ１は、第二テーブル什器２００の第１引出し機構１３ａの引出し本体２１に設けられた第１配線挿通部２４ａを通じて当該引出し本体２１の内部に引き込まれ、また配線挿通部２３ａを通じて当該引出し本体２１の外部に送り出されている。
【００７６】
さらに、当該電源配線Ｈ１は、第一テーブル什器１００の第３引出し機構１３ｃの引出し本体２１に設けられた配線挿通部２３ａを通じて当該引出し本体２１の内部に引き込まれ、また第１配線挿通部２４ａを通じて当該引出し本体２１の外部に送り出されている。
このように第一テーブル什器１００の第３引出し機構１３ｃの引出し本体２１から送り出された電源配線Ｈ１は、第一テーブル什器１００のダクト１４の内向き片１４ｃに載置される。この電源配線Ｈ１は、第一テーブル什器１００のダクト１４の内向き片１４ｃに載置された電源タップＨ１２から、第一テーブル什器１００の第１引出し機構１３ａ方向と、第２引出し機構１３ｂ方向と、第４引出し機構１３ｄ方向との３方向に分岐されている。
【００７７】
第二テーブル什器２００の電源タップＨ１１から第二テーブル什器２００の第２引出し機構１３ｂ方向に分岐された電源配線Ｈ１は、電源タップＨ１３が第二テーブル什器２００の第２引出し機構１３ｂの引出し本体２１に収容されるように、第二テーブル什器２００のダクト１４の貫通孔１４ｇと、当該引出し本体２１の第２配線挿通部２４ｂとを通じて引き回されている。また、第二テーブル什器２００の電源タップＨ１１から第二テーブル什器２００の第４引出し機構１３ｄ方向に分岐された電源配線Ｈ１は、電源タップＨ１４が第二テーブル什器２００の第４引出し機構１３ｄの引出し本体２１に収容されるように、第二テーブル什器２００のダクト１４の貫通孔１４ｇと、当該引出し本体２１の第２配線挿通部２４ｂとを通じて引き回されている。
【００７８】
また、第一テーブル什器１００の電源タップＨ１２から第一テーブル什器１００の第１引出し機構１３ａ方向に分岐された電源配線Ｈ１は、電源タップＨ１５が第一テーブル什器１００の第１引出し機構１３ａの引出し本体２１に収容されるように、当該引出し本体２１の第２配線挿通部２４ｂを通じて引き回されている。また、第一テーブル什器１００の電源タップＨ１２から第一テーブル什器１００の第２引出し機構１３ｂ方向に分岐された電源配線Ｈ１は、電源タップＨ１６が第一テーブル什器１００の第２引出し機構１３ｂの引出し本体２１に収容されるように、第一テーブル什器１００のダクト１４の貫通孔１４ｇと、当該引出し本体２１の第２配線挿通部２４ｂとを通じて引き回されている。また、第一テーブル什器１００の電源タップＨ１２から第一テーブル什器１００の第４引出し機構１３ｄ方向に分岐された電源配線Ｈ１は、電源タップＨ１７が第一テーブル什器１００の第４引出し機構１３ｄの引出し本体２１に収容されるように、第一テーブル什器１００のダクト１４の貫通孔１４ｇと、当該引出し本体２１の第２配線挿通部２４ｂとを通じて引き回されている。
【００７９】
図１０に示すように、床面から引き出されたＬＡＮ配線Ｈ２は、コンソールボックス３２に設置されたルータＲによって、第二テーブル什器２００の第２引出し機構１３ｂ方向と、第二テーブル什器２００の第４引出し機構１３ｄ方向と、第一テーブル什器１００の第１引出し機構１３ａ方向と、第一テーブル什器１００の第２引出し機構１３ｂ方向と、第一テーブル什器１００の第４引出し機構１３ｄ方向との５方向に分岐されている。
【００８０】
第二テーブル什器２００の第２引出し機構１３ｂ方向に分岐されたＬＡＮ配線Ｈ２は、第二テーブル什器２００のダクト１４の外向き片１４ｄに載置され、さらに第二テーブル什器２００の第２引出し機構１３ｂの引出し本体２１に設けられた第２配線挿通部２４ｂを通じて、モジュラージャックＨ２１が当該引出し本体２１に収容されるように引き回されている。また、第二テーブル什器２００の第４引出し機構１３ｄ方向に分岐されたＬＡＮ配線Ｈ２は、第二テーブル什器２００のダクト１４の外向き片１４ｄに載置され、さらに第二テーブル什器２００の第４引出し機構１３ｄの引出し本体２１に設けられた第２配線挿通部２４ｂを通じて、モジュラージャックＨ２２が当該引出し本体２１に収容されるように引き回されている。
【００８１】
また、第一テーブル什器１００の第１引出し機構１３ａ方向に分岐されたＬＡＮ配線Ｈ２は、第二テーブル什器２００のダクト１４の外向き片１４ｄ及び第一テーブル什器１００のダクト１４の外向き片１４ｄに載置され、第二テーブル什器２００の第１引出し機構１３ａの引出し本体２１に設けられた第１配線挿通部２４ａを通じて当該引出し本体２１の内部に引き込まれ、当該引出し本体２１に設けられた配線挿通部２３ａを通じて当該引出し本体２１の外部に送り出される。さらに、第二テーブル什器２００の第１引出し機構１３ａの引出し本体２１から送り出されたＬＡＮ配線Ｈ２は、第一テーブル什器１００の第３引出し機構１３ｃの引出し本体２１に設けられた配線挿通部２３ａを介して引出し本体２１に引き込まれ、当該引出し本体２１に設けられた第１配線挿通部２４ａを通じて当該引出し本体２１の外部に送り出される。さらに、第一テーブル什器１００の第３引出し機構１３ｃの引出し本体２１から送り出されたＬＡＮ配線Ｈ２は、第一テーブル什器１００のダクト１４を通じ、さらに第一テーブル什器１００の第１引出し機構１３ａの引出し本体２１に設けられた第２配線挿通部２４ｂを通じて、モジュラージャックＨ２３が当該引出し本体２１に収容されるように引き回されている。
【００８２】
また、第一テーブル什器１００の第２引出し機構１３ｂ方向に分岐されたＬＡＮ配線Ｈ２は、第二テーブル什器２００のダクト１４の外向き片１４ｄ及び第一テーブル什器１００のダクト１４の外向き片１４ｄに載置され、第二テーブル什器２００の第１引出し機構１３ａの引出し本体２１に設けられた第１配線挿通部２４ａを通じて当該引出し本体２１の内部に引き込まれ、当該引出し本体２１に設けられた配線挿通部２３ａを通じて当該引出し本体２１の外部に送り出される。さらに、第二テーブル什器２００の第１引出し機構１３ａの引出し本体２１から送り出されたＬＡＮ配線Ｈ２は、第一テーブル什器１００の第３引出し機構１３ｃの引出し本体２１に設けられた配線挿通部２３ａを介して引出し本体２１に引き込まれ、当該引出し本体２１に設けられた第１配線挿通部２４ａを通じて当該引出し本体２１の外部に送り出される。さらに、第一テーブル什器１００の第３引出し機構１３ｃの引出し本体２１から送り出されたＬＡＮ配線Ｈ２は、第一テーブル什器１００のダクト１４を通じ、さらに第一テーブル什器１００の第２引出し機構１３ｂの引出し本体２１に設けられた第２配線挿通部２４ｂを通じて、モジュラージャックＨ２４が当該引出し本体２１に収容されるように引き回されている。
【００８３】
また、第一テーブル什器１００の第４引出し機構１３ｄ方向に分岐されたＬＡＮ配線Ｈ２は、第二テーブル什器２００のダクト１４の外向き片１４ｄ及び第一テーブル什器１００のダクト１４の外向き片１４ｄに載置され、第二テーブル什器２００の第１引出し機構１３ａの引出し本体２１に設けられた第１配線挿通部２４ａを通じて当該引出し本体２１の内部に引き込まれ、当該引出し本体２１に設けられた配線挿通部２３ａを通じて当該引出し本体２１の外部に送り出される。さらに、第二テーブル什器２００の第１引出し機構１３ａの引出し本体２１から送り出されたＬＡＮ配線Ｈ２は、第一テーブル什器１００の第３引出し機構１３ｃの引出し本体２１に設けられた配線挿通部２３ａを介して引出し本体２１に引き込まれ、当該引出し本体２１に設けられた第１配線挿通部２４ａを通じて当該引出し本体２１の外部に送り出される。さらに、第一テーブル什器１００の第３引出し機構１３ｃの引出し本体２１から送り出されたＬＡＮ配線Ｈ２は、第一テーブル什器１００のダクト１４を通じ、さらに第一テーブル什器１００の第４引出し機構１３ｄの引出し本体２１に設けられた第２配線挿通部２４ｂを通じて、モジュラージャックＨ２５が当該引出し本体２１に収容されるように引き回されている。
【００８４】
なお、第１配線挿通部２４ａ、第２配線挿通部２４ｂ及び第３配線挿通部２４ｃのうち、いずれかの配線挿通部を通じて電源配線Ｈ１及びＬＡＮ配線Ｈ２を引き回すかは任意に変更可能である。また、ここで説明する配線パターンは一例であり、配線種類や配線本数等は任意に変更可能である。例えば、モニターＭと天板１１上に載置されるパーソナルコンピュータとを接続するための通信配線を引き回しても良い。
【００８５】
このように構成されたテーブル１では、引出し機構１３の閉位置から開位置への移動にともなって、配線案内空間部Ｓ１内に配置され折り曲げられた電源配線Ｈ１及びＬＡＮ配線Ｈ２は、配線案内装置４１により、配線案内空間部Ｓ１内で引出し機構１３のスライド方向を含む一平面内でのみ延ばされる。また、引出し機構１３の開位置から閉位置への移動にともなって、電源配線Ｈ１及びＬＡＮ配線Ｈ２は、配線案内装置４１により、配線案内空間部Ｓ１内で引出し機構１３のスライド方向を含む水平面内でのみ折り曲げられる。よって、引出し機構１３のスライド方向を含む水平面以外の空間部にある物品と電源配線Ｈ１及びＬＡＮ配線Ｈ２との干渉が抑制されるため、引出し機構１３のスライド動作の支障となることなく電源配線Ｈ１及びＬＡＮ配線Ｈ２を案内することができる。
【００８６】
また、電源配線Ｈ１及びＬＡＮ配線Ｈ２は、配線案内装置４１のリンクユニット５１の空間部に収容される。引出し機構１３の閉位置と開位置との間の移動にともなって、リンクユニット５１は、鉛直軸に延びる回動軸４３回りに回動する。よって、リンクユニット５１を水平面内で回動させることができる。
【００８７】
また、ダクト１４に収容された電源配線Ｈ１及びＬＡＮ配線Ｈ２は、引出し本体２１の背面パネル２４に形成された第３配線挿通部２４ｃを通過して、引出し本体２１の内部に引き込まれる。よって、テーブル１における電源配線Ｈ１及びＬＡＮ配線Ｈ２の引き回しを円滑に行うことができる。
【００８８】
また、複数の引出し本体２１が設置されることになるため、引出し本体２１を使用できる範囲を広げることが可能となる。また、水平二方向のいずれ方向からも、テーブル１に設けられた引出し本体２１を使用することができる。
【００８９】
なお、本発明は、図面を参照して説明した上述の各実施形態に限定されるものではなく、その技術的範囲において様々な変形例が考えられる。
【００９０】
（変形例１）
上記に示す実施形態の変形例１について説明する。
図１１は、本実施形態の変形例１におけるテーブル１０１において、引出し機構１３が閉位置にある場合の電源配線Ｈ１の配置を示す平面図である。図１２は、本実施形態の変形例１におけるテーブル１０１において、引出し機構１３が開位置にある場合の電源配線Ｈ１の配置を示す平面図である。図１１及び図１２において、配線のうち電源配線Ｈ１を示し、ＬＡＮ配線Ｈ２の記載を省略している。
【００９１】
図１１及び図１２に示すように、配線案内手段は、ダクト１４に設けられた配線案内トレー１４１で構成されている。
【００９２】
ここで、引出し本体２１には、トレー支持部１３１が設けられている。トレー支持部１３１は、水平面に延びる板状に形成され、引出し本体２１のダクト１４側に設けられている。このトレー支持部１３１には、引出し本体２１の幅方向（引出し機構１３のスライド方向に直交する水平方向）に沿って、溝１３１Ｍが形成されている。
【００９３】
配線案内トレー１４１は、トレー支持部１３１に支持される底部１４２と、底部１４２の隣接する２辺から立設された側壁部１４３Ａ，１４３Ｂと、底部１４２上の空間を仕切る仕切板１４４とを有している。
【００９４】
底部１４２は、引出し機構１３が閉じた状態で、引出し機構１３のスライド方向に直交する水平方向に長い平面視横長矩形状をなしている。底部１４２は、引出し機構１３が閉じた状態で、ダクト１４に沿って配置される第一長辺部１４２Ａと、引出し本体２１側に配置される第二長辺部１４２Ｂと、第一長辺部１４２Ａの一端と第二長辺部１４２Ｂの一端とを連結する第一短辺部１４２Ｃと、第一長辺部１４２Ａの他端と第二長辺部１４２Ｂの他端とを連結する第二短辺部１４２Ｄとを有している。
【００９５】
側壁部は、第一長辺部１４２Ａから立設された第一側壁部１４３Ａと、第一短辺部１４２Ｃから立設された第二側壁部１４３Ｂとを有している。第一長辺部１４２Ａの第二短辺部１４２Ｄ側には、第一側壁部１４３Ａは設けられていない。この部分は、電源配線Ｈ１が挿通可能な空間とされている。
【００９６】
仕切板１４４は、底部１４２の第二短辺部１４２Ｄの途中部分から第一長辺部１４２Ａ及び第二長辺部１４２Ｂに平行に配置されている。仕切板１４４の端部は、第一側壁部１４３Ａから離間した位置に配置されている。
【００９７】
この配線案内トレー１４１の底部１４２において、第一長辺部１４２Ａ側且つ第二短辺部１４２Ｄ側には、鉛直方向に軸穴１４２Ｘが設けられている。また、ダクト１４の配線案内装置４１側には、鉛直方向に延びる回動軸１４８が設けられている。この回動軸１４８は、配線案内トレー１４１に設けられた軸穴１４２Ｘに挿通されている。これにより、配線案内トレー１４１は、ダクト１４に対して回動軸１４８回りに回動可能とされている。
【００９８】
また、配線案内トレー１４１の底部１４２において、第二長辺部１４２Ｂ側且つ第一短辺部１４２Ｃ方には、鉛直方向に延びる回動軸１４９が設けられている。この回動軸１４９の下部は、トレー支持部１３１の溝１３１Ｍに挿通されている。このようにして、トレー支持部１３１と配線案内トレー１４１とは、溝１３１Ｍに挿通された回動軸１４８を介して、互いに回動可能に連結されている。
なお、溝１３１Ｍの幅寸法（引出し機構１３のスライド方向の長さ）は、回動軸１４８の径よりも大きい。溝１３１Ｍの幅寸法は、長さ方向（引出し機構１３のスライド方向と直交する水平方向）の中央部で、幅広となるように形成されている。
【００９９】
上記のように構成されたテーブル１０１では、図１１に示すように、引出し機構１３が閉位置にある場合に、配線案内トレー１４１の第一長辺部１４２Ａはダクト１４に沿って配置され、第二長辺部１４２Ｂは引出し本体２１に対向するように配置されている。また、回動軸１４９は、溝１３１Ｍにおいて第二長辺部１４２Ｂ側且つ第一短辺部１４２Ｃ側に配置されている。このようにして、配線案内トレー１４１は、第一長辺部１４２Ａをダクト１４に近接させるように、ダクト１４及び引出し本体２１に対して折り曲げられている。
【０１００】
また、電源タップＨ１５に接続され、配線案内トレー１４１の上部に配置された電源配線Ｈ１は、第二長辺部１４２Ｂ側において第二短辺部１４２Ｄから第一短辺部１４２Ｃに向かって延びている。この電源配線Ｈ１は、仕切板１４４の端部で折り返されて、第一長辺部１４２Ａ側において第一短辺部１４２Ｃから第二短辺部１４２Ｄに向かって延びている。そして、電源配線Ｈ１は、第一側壁部１４３Ａの端部からダクト１４に導入されている。
【０１０１】
この状態から、引出し機構１３を開位置に位置させるようにスライドさせると、配線案内トレー１４１は、鉛直方向に延びる回動軸１４８を中心に回動する。つまり、配線案内トレー１４１は、第一短辺部１４２Ｃを引出し本体２１に向け、第一長辺部１４２Ａをダクト１４から離間させるように、回動軸１４８を中心に水平面内で回動する。この際、回動軸１４９は、溝１３１Ｍ内をダクト１４側の縁に沿って移動する。これにより、折り曲げられていた配線案内トレー１４１は、第一長辺部１４２Ａをダクト１４から離間させるとともに第二長辺部１４２Ｂを引出し本体２１から離間さて、ダクト１４及び引出し本体２１に対して延ばされる。
【０１０２】
この状態で、電源タップＨ１５に接続され、配線案内トレー１４１の上部に配置された電源配線Ｈ１は、仕切板１４４と第一長辺部１４２Ａ側との間において、第二短辺部１４２Ｄから第一短辺部１４２Ｃに向かって、引出し機構１３のスライド方向に沿って延ばされた状態で配置されている。
【０１０３】
一方、引出し機構１３を閉位置に位置させるようにスライドさせると、配線案内トレー１４１は、鉛直方向に延びる回動軸１４８を中心に回動する。つまり、配線案内トレー１４１は、第一長辺部１４２Ａをダクト１４に沿わせて、第二長辺部１４２Ｂを引出し本体２１に対向させるように、回動軸１４８を中心に水平面内で回動する。この際、回動軸１４９は、溝１３１Ｍ内を引出し本体２１側の縁に沿って移動する。これにより、延ばされていた配線案内トレー１４１は、第一長辺部１４２Ａをダクト１４に近接させるとともに第二長辺部１４２Ｂを引出し本体２１に近接させ、ダクト１４及び引出し本体２１に対して折り曲げられる。
【０１０４】
このように構成されたテーブル１０１においても、引出し機構１３の閉位置から開位置への移動にともなって、配線案内空間部Ｓ１内に配置され折り曲げられた電源配線Ｈ１及びＬＡＮ配線Ｈ２は、配線案内空間部Ｓ１内で水平面内でのみ延ばされ、折り曲げられる。よって、引出し機構１３のスライド方向を含む水平面以外の空間部にある物品と電源配線Ｈ１及びＬＡＮ配線Ｈ２との干渉が抑制されるため、引出し機構１３のスライド動作の支障となることなく電源配線Ｈ１及びＬＡＮ配線Ｈ２を案内することができる。
【０１０５】
（変形例２）
上記に示す実施形態の変形例２について説明する。
図１３は、本実施形態の変形例２におけるテーブル２０１において、引出し機構１３が閉位置にある場合の電源配線Ｈ１の配置を示す平面図である。図１４は、本実施形態の変形例１におけるテーブル１０１において、引出し機構１３が開位置にある場合の電源配線Ｈ１の配置を示す平面図である。図１３及び図１４において、配線のうち電源配線Ｈ１を示し、ＬＡＮ配線Ｈ２の記載を省略している。
【０１０６】
図１３及び図１４に示すように、配線案内手段２４０は、ダクト１４に対して回動可能に設けられた第一配線案内トレー２４１と、引出し本体２１に対して回動可能に設けられた第二配線案内トレー２４２とを有している。
【０１０７】
第一配線案内トレー２４１は、引出し機構１３が閉じた状態で、スライド方向と交差する水平方向に長い平面視横長矩形状をなしている。
【０１０８】
第一配線案内トレー２４１の長手方向の一端２４１Ａには、軸穴２４１Ｘが設けられている。ダクト１４には、鉛直方向に延びる回動軸２４７が設けられている。この回動軸２４７は、第一配線案内トレー２４１の軸穴２４１Ｘに挿通されている。これにより、第一配線案内トレー２４１は、回動軸２４７を中心に回動可能とされている。つまり、第一配線案内トレー２４１は、一端２４１Ａを中心として、他端２４１Ｂをダクト１４に近接させた位置から離間させた位置まで移動可能とされている。
【０１０９】
第二配線案内トレー２４２は、引出し機構１３が閉じた状態で、スライド方向と交差する水平方向に長い平面視横長矩形状をなしている。
【０１１０】
第二配線案内トレー２４２の長手方向の一端２４２Ａには、軸穴２４２Ｘが設けられている。引出し本体２１には、鉛直方向に延びる回動軸２４８が設けられている。この回動軸２４８は、第二配線案内トレー２４２の軸穴２４２Ｘに挿通されている。これにより、第二配線案内トレー２４２は、回動軸２４８を中心に回動可能とされている。つまり、第二配線案内トレー２４２は、一端２４２Ａを中心として、他端２４２Ｂを引出し本体２１に近接させた位置から離間させた位置まで移動可能とされている。
【０１１１】
第二配線案内トレー２４２の長手方向の他端２４２Ｂには、鉛直方向に延びる回動軸２４９が設けられている。第一配線案内トレー２４１の長手方向の他端２４１Ｂには、軸穴２４１Ｙが設けられている。第二配線案内トレー２４２に設けられた回動軸２４９は、第一配線案内トレー２４１に設けられた軸穴２４１Ｙに挿通されている。これにより、第一配線案内トレー２４１と第二配線案内トレー２４２とは、互いに回動軸２４９を中心に回動可能とされている。つまり、第一配線案内トレー２４１と第二配線案内トレー２４２とは、互いに他端２４１Ｂ，２４２Ｂを中心として、一端２４１Ａ，２４２Ａどうしを近接させた位置から離間させた位置まで相対移動可能とされている。換言すると、第一配線案内トレー２４１と第二配線案内トレー２４２とは、一端２４１Ａ，２４２Ａどうしが近接した位置では、互いに折り曲げられている。第一配線案内トレー２４１と第二配線案内トレー２４２とは、一端２４１Ａ，２４２Ａどうしが離間した位置では、互いに延ばされている。
【０１１２】
上記のように構成されたテーブル２０１では、図１３に示すように、引出し機構１３が閉位置にある場合に、第一配線案内トレー２４１は、長手方向を引出し機構１３のスライド方向と交差する水平方向に向けて配置されている。また、第二配線案内トレー２４２は、長手方向を引出し機構１３のスライド方向と交差する水平方向に向けて配置されている。つまり、第一配線案内トレー２４１と第二配線案内トレー２４２とは、互いに折り曲げられている。
【０１１３】
また、電源タップＨ１５に接続され、第二配線案内トレー２４２の上部に配置された電源配線Ｈ１は、第二配線案内トレー２４２の一端２４２Ａから他端２４２Ｂに向かって延びている。この電源配線Ｈ１は、第二配線案内トレー２４２の他端２４２Ｂ側で折り返されて、第一配線案内トレー２４１の上部を一端２４１Ａに向かって延びている。そして、電源配線Ｈ１は、第一配線案内トレー２４１の一端２４１Ａからダクト１４に導入されている。
【０１１４】
この状態から、引出し機構１３を開位置に位置させるようにスライドさせると、第一配線案内トレー２４１は、他端２４１Ｂをダクトから離間させるように、回動軸２４７を中心として回動する。また、第二配線案内トレー２４２は、他端２４２Ｂを引出し本体２１から離間させるように、回動軸２４８を中心として回動する。また、第一配線案内トレー２４１と第二配線案内トレー２４２とは、回動軸２４９を中心として、互いに一端２４１Ａ，２４２Ａどうしを離間させるように水平面内で回動する。これにより、折り曲げられていた第一配線案内トレー２４１と第二配線案内トレー２４２とは、互いに延ばされる。
【０１１５】
この状態で、電源タップＨ１５に接続され、第一配線案内トレー２４１及び第二配線案内トレー２４２の上部に配置された電源配線Ｈ１は、第二配線案内トレー２４２の他端２４１Ｂから回動軸４３を経由して第一配線案内トレー２４１の一端２４１Ａに向かって、スライド方向に沿って延ばされた状態で配置されている。
【０１１６】
一方、引出し機構１３を閉位置に位置させるようにスライドさせると、第一配線案内トレー２４１は、他端２４１Ｂをダクト１４に近接させるように、回動軸２４７を中心として回動する。また、第二配線案内トレー２４２は、他端２４２Ｂを引出し本体２１に近接させるように、回動軸２４８を中心として水平面内で回動する。また、第一配線案内トレー２４１と第二配線案内トレー２４２とは、回動軸２４９を中心として、互いに一端２４１Ａ，２４２Ａどうしを近接させるように回動する。これにより、延ばされていた第一配線案内トレー２４１と第二配線案内トレー２４２とは、互いに延ばされる。
【０１１７】
このように構成されたテーブル２０１においても、引出し機構１３の閉位置から開位置への移動にともなって、配線案内空間部Ｓ１内に配置され折り曲げられた電源配線Ｈ１及びＬＡＮ配線Ｈ２は、配線案内空間部Ｓ１内で水平面内でのみ延ばされる。また、引出し機構１３の開位置から閉位置への移動にともなって、電源配線Ｈ１及びＬＡＮ配線Ｈ２は、配線案内空間部Ｓ１内で水平面内でのみ折り曲げられる。よって、引出し機構１３のスライド方向を含む水平面以外の空間部にある物品と電源配線Ｈ１及びＬＡＮ配線Ｈ２との干渉が抑制されるため、引出し機構１３のスライド動作の支障となることなく電源配線Ｈ１及びＬＡＮ配線Ｈ２を案内することができる。
【０１１８】
これ以外にも、本発明の主旨を逸脱しない限り、上記実施の形態で挙げた構成を取捨選択したり、他の構成に適宜変更したりすることが可能である。
【０１１９】
例えば、上記に示す実施形態においては、配線案内手段は、引出し機構１３のスライド方向を含む水平面内でのみ折り曲げられる構成であるが、本発明はこれに限られない。例えば、配線案内手段が、引出し機構１３のスライド方向と直交するような一平面内でのみ折り曲げられていてもよい。つまり、配線案内手段が、所定の鉛直面に沿って折り曲げられていてもよい。この場合にも、電源配線Ｈ１等の配線は配線案内手段に案内されて、所定の鉛直面でのみ折り曲げられるため、該鉛直面以外に配置された物品と配線とが干渉することがない。
【０１２０】
また、上記に示す実施形態においては、引出し機構１３が閉位置にある場合に、電源配線Ｈ１等の配線がダクト１４と引出し本体２１との間で１回折り曲げられるように、配線案内手段は配線を支持しているが、本発明はこれに限られない。配線がダクト１４と引出し本体２１との間で、配線が複数回折り曲げられるように、配線案内手段が配線を支持する構成であってもよい。
【０１２１】
また、上記に示す実施形態においては、テーブルは、第一テーブル什器１００と、第二テーブル什器２００とを備えているが、本発明はこれに限られない。いずれか一方のテーブル什器だけで構成されていてもよい。
【０１２２】
また、第一テーブル什器１００、第二テーブル什器２００の四辺に引出し機構１３が設けられているが、本発明はこれに限られない。少なくとも天板１１の一端側と一端側と反対側の他端側に、引出し機構１３が設けられていればよい。
【０１２３】
また、電源配線Ｈ１が引出し本体２１から引き出される第３配線挿通部２４ｃは、引出し本体２１の背面パネル２４に形成されているが、本発明はこれに限られない。引出し本体２１の底板２２や、側面パネル２５等に形成された配線挿通部を介して、電源配線Ｈ１を引出し本体２１の外部に引き出してもよい。さらには、背面パネル２４の上端と天板１１の下面との間に形成される空間部を介して、電源配線Ｈ１を引出し本体２１から引き出してもよい。
【０１２４】
また、天板１１の平面視形状が正方形であり、第一テーブル什器１００、第二テーブル什器２００はそれぞれ脚部１２を４つ備えているが、本発明はこれに限られない。例えば、天板の平面視形状が長方形や、五角形、六角形等の多角形であってもよく、あるいは円形であってもよい。また、脚部は天板の縁部等に設けられた構成を採用することも可能である。
【符号の説明】
【０１２５】
１１…天板
１２…脚体（脚部）
１３…引出し機構
１４…ダクト（配線ダクト）
２１…引出し本体
２４ａ…第１配線挿通部
２４ｂ…第１配線挿通部
２４ｃ…第１配線挿通部
４１…配線案内装置（配線案内手段）
４３…回動軸
５１…リンクユニット（枠体）
Ｈ１…電源配線Ｈ１（配線）
Ｈ２…ＬＡＮ配線（配線）
Ｓ１…配線案内空間部
【図１】
2015144624.tif 000003
【図２】
2015144624.tif 000004
【図３】
2015144624.tif 000005
【図４】
2015144624.tif 000006
【図５】
2015144624.tif 000007
【図６】
2015144624.tif 000008
【図７】
2015144624.tif 000009
【図８】
2015144624.tif 000010
【図９】
2015144624.tif 000011
【図１０】
2015144624.tif 000012
【図１１】
2015144624.tif 000013
【図１２】
2015144624.tif 000014
【図１３】
2015144624.tif 000015
【図１４】
2015144624.tif 000016